(57)【特許請求の範囲】
【請求項１】
機体１に、横倒しの姿勢としたロールベールＢを転動自在に支承してロールベールＢを解き出すコンベアベルト２を、搬送面が略水平な面に沿い機体１の左右方向に回動するよう装架し、そのコンベアベルト２の搬送方向の前方には、解き出されてコンベアベルト２により送り出される牧草を切断処理するシリンダ型カッターの回転刃機構４を、該回転刃機構４の回転刃４０の回転軸４１が、軸線方向を機体１の前後方向に沿わせた姿勢で、前記コンベアベルト２の前方を左右に横切るように配位して機体１に組み付け支架し、その回転刃機構４の回転刃４０と対向させる受刃５を、前記回転刃機構４とコンベアベルト２の搬送方向の前端部との間に配位して機体１に支架した受刃取付台５０に固定して組み付け、回転刃機構４の下方には、床面が機体１に向け下降傾斜する排出シュート６を装設し、その排出シュート６の下端側に床面を半円弧状に形成した集合樋６２を、該集合樋６２の軸方向が機体１の前後方向となる姿勢に接続させて設け、回転刃機構４の側方における機体１の側面に、前記集合樋６２に集めた切断処理物を機体１側方の上方に向け揚送して放出するようエンドレスに回動するエレベータ装置ｚを、該エレベータ装置ｚの搬送方向の始端部が集合樋６２内に位置し終端部が機体１の側方の自由空間に突出するように装設したことを特徴とするベールカッター。
【請求項２】
機体１に、駆動ローラ２０により搬送面が略水平な面に沿い回動するよう駆動されるコンベアベルト２を、該コンベアベルト２の回動軸線が機体１の前後方向に沿う状態として装架し、そのコンベアベルト２の搬送方向の前方には、解き出されてコンベアベルト２により送り出される牧草を切断処理するシリンダ型カッターの回転刃機構４を該回転刃機構４の回転刃４０の回転軸４１の軸方向が機体１の前後方向に沿わせた姿勢で、前記コンベアベルト２の前方を左右に横切るように配位して装架し、その回転刃機構４の回転刃４０と対向させる受刃５を、前記回転刃機構４とコンベアベルト２の搬送方向の前端部との間に配位して機体１に支架した受刃取付台５０に固定して組み付け、回転刃機構４の上方で、前記コンベアベルト２上に軸線方向が機体１の前後方向に沿う姿勢として載架したロールベールＢの前記コンベアベルト２の搬送方向側の側面に当接する位置には、回動の軸線方向を機体１の前後方向とした転動ローラ３・３を配して機体１に軸架して、ロールベールＢに接触する側が上昇回動するよう駆動し、かつ、コンベアベルト２の駆動ローラ２０及び転動ローラ３・３を駆動する伝導機構に回転方向切替装置ｙを接続させて設け、回転刃機構４の下方には、切断処理後の牧草類を機体１の側方に排出するよう機体１側方に向け下降傾斜する排出シュート６を装設し、その排出シュート６の下端に、床面を半円弧状に形成した集合樋６２を、該集合樋６２の軸線方向が機体１の前後方向に沿う状態として接続して設け、回転刃機構４の側方における機体１の側面に、前記集合樋６２に集めた切断処理物を機体１側方の上方に向け揚送して放出するようエンドレスに回動するエレベータ装置ｚを、該エレベータ装置ｚの搬送方向の始端部が集合樋６２内に位置し終端部が機体１の側方の自由空間に突出するように装設したことを特徴とするベールカッター。
【発明の詳細な説明】
【０００１】
【発明が属する技術分野】
この発明は、牧草・麦稈等をロールベーラによりロール状に巻き込みながら圧縮することで成形してあるロールベールを、給餌のために解きほぐすように解体しながら切断処理していくベールカッターについての改良に関する。
【０００２】
【従来の技術】
ロール状に圧縮成形されたロールベールを解体しながら切断処理するベールカッターとしては、従前のものにあっては、ロールベールの軸方向の長さに対応させて刃巾を広くした固定刃を、それの刃縁が上方に向かう状態として機枠に固定装架し、これに対向するよう刃幅を広くした可動ナイフを、前記固定刃の上方に配して油圧シリンダにより上下に往復動するよう機枠に装架しておいて、その固定刃とする可動ナイフとの対向部位に、機枠に転動自在に支架したロールベールからそれを転動回転させることで解き出した牧草・麦稈類を順次供給して、可動ナイフの上下の往復動の作動により間欠的に切断処理していく手段がある。
【０００３】
また、所定の個所に設置し得るようにした機台の上面側に、ロールベールをそれの軸方向が上下方向となる姿勢として受け入れる筒状のホッパーを、上下方向の回転軸線をもって回転するように装架しておき、その機台の前記筒状のホッパーの下方に位置する部位に、横軸で回転する動刃を、その動刃の刃先の回転軌跡の一部が、機台の上面に設けた前記筒状のホッパー内に突出してくるように軸支しておいて、前記筒状のホッパー内に軸線方向が上下方向となる姿勢として投入したロールベールを、それの軸方向の一方の端面が、前述のホッパー内に突入する動刃の回転軌跡の一部に接触する状態でホッパーごと回転させるようにすることにより、ベールをそれの軸方向の一方の端面側から前述の回転する動刃により順次削り取るように切断していく形態のものがある。
【０００４】
また、図１に示しているように、軸線方向が左右方向となる横倒し姿勢としたロールベールＢを、それの軸芯線を中心とする転動が可能な状態として支承するホッパーａを機体ｂに装架しておき、そのホッパーａの床面には、周面にスパイクｃ…を植設した送り装置ｄを、それの搬送行程側が、周面のスパイクｃ…の先端側をホッパーａ内に突入させた状態で機体ｂの前後方向に回動するよう装設し、該送り装置ｄの搬送方向の前方に、左右方向の回転軸ｅにより回転刃ｆが回動するシリンダー型カッターの回動刃機構ｇと受刃ｈとを装架し、その下方に切断処理した牧草・麦稈類を機体ｂの左右方向に搬出するコンベア装置ｉを装設し、ホッパーａ上部の開口部の前後には、それぞれが前後に揺動するプレスアームｊとロール規制板ｋを設けて、ホッパーａ内に投入したロールベールＢを、送り装置ｄにより転動させて、巻き込まれている牧草類を解き出し、シリンダ型カッターにより切断処理してコンベア装置ｉで側方に排出するようにしたものがある。
【０００５】
【発明が解決しようとする課題】
しかしながら、このような従来のロールベールカッターは、可動ナイフを往復動させる形態の第１の手段のものにあっては、可動ナイフの往復動の行程のうち往動行程だけが切断処理の作業を行うことから、実際に切断している時間の全体の作業時間に占める割合が少なく、しかも油圧により往復動させる可動ナイフの作動を高速にすることができないことから能率が悪く、特に切断寸法を短くしようとすると極端に能率が低下してくる問題がある。
【０００６】
また、筒状のホッパーを回転させる形態の第２の手段のものにあっては、動刃に対向する固定刃を持たないことと、動刃に対するロールベールに巻かれた牧草・麦稈等の供給速度がロールベールの端面の回転中心部と周辺部とによって差が出てくることにより、切断長さが不揃いになる問題があり、しかも切断の効率が悪いことで、単位量のロールベールを切断処理するのに要する動力が著しく大きくなる問題があり、さらに乾燥したロールベールの解体・切断処理を行うときに多量の塵埃を生じ、作業環境が悪くなるという問題がある。
【０００７】
また、軸線方向が左右方向となる横倒し姿勢としてホッパーａに投入したロールベールＢを、スパイクｃ…を周面に植設した送り装置ｄで転動回転させて、それにより解きほぐされて繰り出される牧草類をシリンダー型カッターに順次送り込んで切断し、コンベア装置ｉで側方に排出するようにした第３の手段のものにあっては、それの構成が複雑で重量が重くコスト高となり、さらには機体の全長が長くなり、小回りができないという問題点があった。
【０００８】
本発明は、従来手段に生じている上述の問題を解消するためになされたもので、ロールベールを横倒し姿勢として転動自在に支承する支承手段、およびそれに支承せしめたロールベールを転動回転させる転動駆動手段、ならびに切截処理した牧草類を機体の側方に排出する排出手段の構成を簡略にして、ベールカッターを小型・軽量化し得るようにする新たな手段を提供することを目的とする。
【０００９】
【課題を解決するための手段】
そして、本発明においては、上述の目的を達成するための手段として、機体１に、横倒しの姿勢としたロールベールＢを転動自在に支承してロールベールＢを解き出すコンベアベルト２を、搬送面が略水平な面に沿い機体１の左右方向に回動するよう装架し、そのコンベアベルト２の搬送方向の前方には、解き出されてコンベアベルト２により送り出される牧草を切断処理するシリンダ型カッターの回転刃機構４を、該回転刃機構４の回転刃４０の回転軸４１が、軸線方向を機体１の前後方向に沿わせた姿勢で、前記コンベアベルト２の前方を左右に横切るように配位して機体１に組み付け支架し、その回転刃機構４の回転刃４０と対向させる受刃５を、前記回転刃機構４とコンベアベルト２の搬送方向の前端部との間に配位して機体１に支架した受刃取付台５０に固定して組み付け、回転刃機構４の下方には、床面が機体１に向け下降傾斜する排出シュート６を装設し、その排出シュート６の下端側に床面を半円弧状に形成した集合樋６２を、該集合樋６２の軸方向が機体１の前後方向となる姿勢に接続させて設け、回転刃機構４の側方における機体１の側面に、前記集合樋６２に集めた切断処理物を機体１側方の上方に向け揚送して放出するようエンドレスに回動するエレベータ装置ｚを、該エレベータ装置ｚの搬送方向の始端部が集合樋６２内に位置し終端部が機体１の側方の自由空間に突出するように装設したことを特徴とするベールカッターを提起し、さらに、これに併せて、機体１に、駆動ローラ２０により搬送面が略水平な面に沿い回動するよう駆動されるコンベアベルト２を、該コンベアベルト２の回動軸線が機体１の前後方向に沿う状態として装架し、そのコンベアベルト２の搬送方向の前方には、解き出されてコンベアベルト２により送り出される牧草を切断処理するシリンダ型カッターの回転刃機構４を該回転刃機構４の回転刃４０の回転軸４１の軸方向が機体１の前後方向に沿わせた姿勢で、前記コンベアベルト２の前方を左右に横切るように配位して装架し、その回転刃機構４の回転刃４０と対向させる受刃５を、前記回転刃機構４とコンベアベルト２の搬送方向の前端部との間に配位して機体１に支架した受刃取付台５０に固定して組み付け、回転刃機構４の上方で、前記コンベアベルト２上に軸線方向が機体１の前後方向に沿う姿勢として載架したロールベールＢの前記コンベアベルト２の搬送方向側の側面に当接する位置には、回動の軸線方向を機体１の前後方向とした転動ローラ３・３を配して機体１に軸架して、ロールベールＢに接触する側が上昇回動するよう駆動し、かつ、コンベアベルト２の駆動ローラ２０及び転動ローラ３・３を駆動する伝導機構に回転方向切替装置ｙを接続させて設け、回転刃機構４の下方には、切断処理後の牧草類を機体１の側方に排出するよう機体１側方に向け下降傾斜する排出シュート６を装設し、その排出シュート６の下端に、床面を半円弧状に形成した集合樋６２を、該集合樋６２の軸線方向が機体１の前後方向に沿う状態として接続して設け、回転刃機構４の側方における機体１の側面に、前記集合樋６２に集めた切断処理物を機体１側方の上方に向け揚送して放出するようエンドレスに回動するエレベータ装置ｚを、該エレベータ装置ｚの搬送方向の始端部が集合樋６２内に位置し終端部が機体１の側方の自由空間に突出するように装設したことを特徴とするベールカッターを提起するものである。
【００１０】
【発明の実施の形態】
本発明手段によるベールカッターは、自走して、または被牽引により走行する機体、または所望の場所に設置し得るようにした機体に、成形されるロールベールの軸方向の長さに対応する長さに形成した駆動ローラと従動ローラとを、それの軸線方向が機体の前後方向に沿う姿勢として略水平な面に沿い対向させて軸支し、これらに、前記ロールベールの軸方向の長さに対応する巾に形成した平ベルトをエンドレスにかけまわして、駆動ロールの駆動により平ベルトの上面側が一方向に回動するコンベアベルトに構成し、そのコンベアベルトの平ベルトの上面にロールベールを軸芯線が機体の前後方向に沿う横倒しの姿勢として載架し得るようにする。
【００１１】
そして、この平ベルトは、駆動ローラの駆動により機体の左右方向における一方向にエンドレスに回動するようにし、それによる平ベルトの上面側の回動方向の前方で、その平ベルトの上面に載架したロールベールの周面の側面に対向する高さ位置に、転動ローラを配位して機体に軸支し、この転動ローラと前述のコンベアベルトとにより、ロールベールを横倒しの姿勢として転動自在に支承するベール支承台を構成するようにする。
【００１２】
ロールベールを横倒しの姿勢として載架せしめる前述のコンベアベルトの平ベルトは、狭い巾に形成して、それを複数本ロールベールの軸方向の長さに対応する巾となるように並列させて駆動ローラと従動ローラ間にかけまわすようにしてよい。
【００１３】
また、このコンベアベルトの上面に載架したロールベールがコンベアベルトの回動によりその回動方向に脱出していくのを阻止するように機体に軸支しておく前述の転動ローラは、コンベアベルトの上面に載架したロールベールの周面の側面に対応する部位に、上下に複数個並列させて軸架して、それら複数の転動ロールによりロールベールの脱出を阻止するようにしてよく、また、上下に並列させてロールを軸支してもよい。
【００１４】
そして、転動ローラは、前記コンベアベルトの上面に載架したロールベールの周面に接触する側の側面が上昇回動するように駆動して、ロールベールを、それの周面の下面に接触するコンベアベルトとそのロールベールの周面の側面に接触する転動ロールとの二者により、ロールベールの下面と側面との２個所において駆動されるようにする。
【００１５】
また、コンベアベルトの搬送方向の前方には、回転刃が回転軸の周囲をシリンダ状に低速回転するシリンダ型カッターの回転刃機構を、それの回転刃の回転軸が、軸線方向を機体の前後方向に沿わせた姿勢で、前記コンベアベルトの前方を左右に横切るように配位して機体に組付け支架し、それの回転刃と対向させる受刃を、コンベアベルトと回転刃機構との間に配位して機体に装架せる受刃取付台に組付けて機体に固定支架し、これにより、支承台に載架されて転動するロールベールから解き出されてコンベアベルトによりそれの搬送方向に送り出されてくる牧草類を、上方から回動してくる回転刃機構の回転刃が固定の受刃に押し付けて切断処理していくようにする。
【００１６】
そしてまた、回転刃機構の下方には、切断処理した牧草類を誘導する排出シュートを、機体の側方に向け下降傾斜するように設けると共に、その排出シュートの下端側に、半円筒状に形成した集合樋を、それの軸線方向が機体の前後方向に沿う姿勢として接続し、回転刃機構の側方における機体の側面には、前記集合樋に集めた切断処理物を、その集合樋内から機体側方に向けて揚送して放出するエレベータ装置を装設して、シリンダ型の回転刃機構で切断処理した牧草類を、機体側方の上方に寄る位置において排出していくようにする。
【００１７】
【実施例】
次に実施例を図面に従い説明する。
図２は、本発明を実施せるベールカッターＡの一部破断した正面図で、同図において、１は被牽引型に構成してある機体、ｗはその機体１に装架したベール支承台で、回動軸線が機体１の前後方向に沿う姿勢で略水平な面に沿い回動するよう機体１に装架したコンベアベルト２とそれの搬送方向の前方における上方位置に回動軸線が機体１の前後方向に沿うように配して機体１に軸支した転動ローラ３とにより、図２において鎖線に示している如く、軸芯線方向が機体１の前後方向となる横倒しの姿勢としたロールベールＢを、それの下面と一方の側面とを支承するように構成してある。
【００１８】
２ａはコンベアベルト２の転動ローラ３に対する反対側に設けた補助枠である。
【００１９】
２０は前記コンベアベルト２の駆動ローラ、２１は従動ローラで、それぞれ、軸線方向が機体１の左右方向（図２において左右方向）と直交する前後方向に沿う姿勢として、機体１に左右方向に一対に並列するように配位して軸支してあり、かつ、駆動ローラ２０と従動ローラ２１はほぼ水平となる高さ位置に軸支してある。そして、この駆動ローラ２０は、機体１の底部に軸支せる入力軸Ｓと伝導していて、その入力軸Ｓが牽引車のＰＴＯ軸と伝導して駆動されることで、図２において矢印に示している如く時計回りに回動する。
【００２０】
２２は、これら駆動ローラ２０および従動ローラ２１にエンドレスにかけまわした平ベルトで、それの搬送面となる上面側は、駆動ローラ２０の駆動により従動ローラ２１から駆動ローラ２０側に向けて回動するように装架してある。
【００２１】
転動ローラ３は、周面が角壁となす角柱状に形成してあって、前記コンベアベルト２の上面に図２において鎖線に示しているよう載架したロールベールＢが、転動側の側面に当接して脱出を阻止するよう、コンベアベルト２の搬送方向の前端部の前方における上方位置に、それの回転軸３０がロールベールＢの軸線方向と平行する姿勢として機体１に軸支してある。そして、この転動ローラ３・３は、それの回転軸３０が伝導機構を介して前述の入力軸Ｓに伝導してあって、その入力軸Ｓの駆動により、コンベアベルト２上に載架したロールベールＢと接触する側が、図２において矢印にあるよう上昇回動する。
【００２２】
４は前記ベール支承台ｗのコンベアベルト２の搬送方向における前端部の前方に配位して機体１に装架せる回転刃４０が回転軸４１の周囲をシリンダ状に回転するシリンダ型カッターの回転刃機構で、前述の転動ローラ３の下方における空間を利用して、コンベアベルト２の前方位置に、回転軸４１の軸方向が、機体１の左右方向（図２において左右方向）と直交する前後方向に沿う状態として機体１に装架してあり、それの回転軸４１は、機体１に軸支してある前述の入力軸Ｓと伝導機構を介し伝導していて、その入力軸Ｓが牽引車の原動機により駆動されることで、図２において矢印に示している如く反時計回りに回転する。
【００２３】
５はこの回転刃機構４の回転刃４０に対向する受刃で、前述のコンベアベルト２の搬送方向の前端部（終端部）と回転刃機構４との間に配位して機体１に支架した受刃取付台５０に、セットボルト５１により固定して組付けてあり、それの前端側に形成した刃縁５ａが、上方から回動してくる回転刃４０とすり合って切断作用を行わす。
【００２４】
６は、前述のベール支承台ｗにロールベールＢを載架して、コンベアベルト２および転動ローラ３の駆動により、そのロールベールＢを転動させることで、そのロールベールＢから解き出されてコンベアベルト２により搬出されてくる牧草類を、前記受刃５と回転刃機構４の回転刃４０とにより切断処理したときに、その切断処理物を案内誘導する排出シュートで、それの床板６０が切断処理を行った回転刃４０の回動方向に沿い機体１の左右方向の一側に向け下降傾斜する傾斜板状に形成してあり、それの下端側には、半円筒状に形成した集合樋６２が、それの軸線方向を機体１の前後方向に沿う姿勢として、それの一側縁を前記排出シュート６の床板６０の下端縁と連続するように接続してある。
【００２５】
ｚは、この集合樋６２に集めた切断処理物を、機体１の側方上方の自由空間に向け揚送して放出するように機体１の側面に装架したエレベータ装置で、前記集合樋６２内に配位して機体１に支架した駆動軸６３と、集合樋６２の前後の両端部位に配位して、前記駆動軸６３中心に上端側が左右に自在に回動するように機体１に支架した前後の支持機枠７・７の上端側に渡架軸支せる従動軸６４と、これら駆動軸６３および従動軸６４にそれぞれ設けた駆動スプロケットギヤ６５・６５および従動スプロケットギヤ６６…と、それらにエンドレスに巻きかけた前後に一対のチエン６７・６７と、それに渡架した搬送ベルト６８および掻き上げ板６９…等からなり、前記支持機枠７・７と機体１との間に渡架せる長さ調節自在のステー７０・７０とにより、支持機枠７・７の傾斜角度を所望に調節した状態において、駆動軸６３を駆動することで、搬送ベルト６８および掻き上げ板６９…が時計回りに回動して、集合樋６２に集められる切断処理物を、その集合樋６２内に位置する始端部となる駆動軸６３側の回行部で掬い上げて揚送し、機体１側方の上方に寄る部位に位置する終端部となる従動部６４側の回行部において放出するようにしてある。
【００２６】
図３は、前述の回転刃機構４の回転軸４１と入力軸Ｓとを伝導する伝導機構Ｄ１の正面図で、図５の上部側にあるよう機体１の前面側に設けた入力軸Ｓに設けたスプロケットギヤＧ１からチエン９０を介し中間軸９１に設けた大径のスプロケットギヤＧ２に伝導し、その中間軸９１に設けた小径のスプロケットギヤＧ３から回転軸４１に設けたスプロケットギヤＧ４にチエン９２を介し伝導することで、回転刃機構４を駆動するようにしている。
【００２７】
次に図６は、コンベアベルト２および転動ローラ３を前述の入力軸Ｓに伝導する伝導機構Ｄ２の後面図で、前記回転刃機構４の回転軸４１の後端部に設けたスプロケットギヤＧ５を、チエン９３を介し機体１に支架せる中間軸９４に遊嵌軸支せるスプロケットギヤＧ６に伝導し、そのスプロケットギヤＧ６のボス部に設けた小径のスプロケットギヤＧ７と、駆動ローラ２０の回転軸２０ａに設けたスプロケットギヤＧ８と転動ローラ３の回転軸３０に設けたスプロケットギヤＧ９と機体１に軸支したアイドラギヤＧ１０とにチエン９５を巻きかけることで構成してあり、これにより、駆動ローラ２０および転動ローラ３が、図６において、二重線の矢印で示すようそれぞれ正転方向である反時計回りに駆動回転するようにしてある。
【００２８】
図５において、ｙは上述の駆動ローラ２０および転動ローラ３の回転方向を逆方に切り換える回転方向切替装置で、操作レバー９６を図５において右方に回動させると、クラッチギヤＧ１１が回転刃４０の回転軸４１に設けたスプロケットギヤＧ５に噛み合って、そのギヤＧ５を回転軸４１に係合させて前述の伝導機構Ｄ２を作動させるようになり、この操作レバー９６を図５において左方に回動させると、クラッチギヤＧ１１が前述の回転軸４１に遊嵌して設けたスプロケットギヤＧ５から離れて、そのギヤＧ５を回転軸４１からフリーとし、回転軸４１の軸端側に遊嵌軸支したスプロケットギヤＧ１２に噛み合って、そのギヤＧ１２を回転軸４１に対し係合させ、これにより、そのギヤＧ１２と駆動ローラ２０の回転軸２０ａに設けたスプロケットギヤＧ１３と転動ローラ３の回転軸３０に設けたスプロケットギヤＧ１４とにかけまわすチエン９７とにより構成される逆転用の伝導機構Ｄ３を作動させて、駆動ローラ２０および転動ローラ３を図４においてそれぞれ反時計回りに回転させるよう構成してある。
【００２９】
この回転方向切替装置ｙは、図４にあるように、ベール支承台ｗ上に載架したロールベールＢが、それからの牧草類の解き出しの進行により、図４において破線に示ししているように痩せて変形し、転動ローラ３に寄りかかるようになったときに、この回転方向切替装置ｙを作動させて、コンベアベルト２を一次的に逆回転させることで、ロールベールＢを、図４において二点鎖線に示している如くコンベアベルト２の上面に倒し、その後に正回転に戻すことで、再びロールベールＢの転動を復活させるよう作用する。
【００３０】
図７は、上述の本発明によるベールカッターＡの要部の一部縦断した右側面図、図８は同上の後面図で、これら図において、８０は機体１の下面の後端側に装設せる自由車輪に構成した走行輪、８１は機体１の下面の前端側に装設せるスタンド、Ｃは給餌箱である。
【００３１】
次に図９はエンジン駆動タイプのキャスタ付きの実施例を示し、図１０はモータ駆動タイプの実施例を示し、図１１はエンジン駆動タイプでキャスタのない実施例を示している。
【００３２】
図９に示す実施例は、前述した実施例が機体１の前面側に設けた入力軸Ｓを適宜の原動機の出力軸に伝導することで、機体１に装架した各作動部を駆動するようにしているのに対し、機体１に、エンジンＥを装架し、これにより、各作動部の駆動を行うようにしている例であり、各作動部の構成は、前述の実施例と変わりがないが、機体１の下面側には、前部および後部に移動用のキャスター８２…が設けてある。
【００３３】
また、図１０に示す実施例は、上述の図９に示した実施例のエンジンＥを、モータＭとした例であり、そのモータＭは、上述の実施例と同様に、機体１に設けた組付ベッド８３に装架してある。この実施例も各作動部の構成は前述した実施例と変わりがなく、機体１の下面側の前後にはキャスター８２・８２が装備してある。
【００３４】
また、図１１に示す例は、前述の図９に示す実施例の機体１の下面側に設けたキャスター８２…を、脚柱８４…に変えて、定置式とした例であり、その余の構成は図９の実施例と変わりがない。
【００３５】
これら実施例は、シリンダ型カッターの回転刃機構４により切断処理して下降傾斜する排出シュート６で機体１の側方に排出する切断処理後の牧草類を、排出シュート６の下端部の集合樋６２に集めて、これを、エレベータ装置ｚにより揚送し、それの上端側の回行部において放出し、機体１の側方に位置させた運搬車Ｆの荷箱内や、畜舎の立上がり給餌槽Ｃへの投入、および定置作業において、積上げ排出ができるようにしてある。
【００３６】
【発明の効果】
以上説明したように、本発明によるベールカッターＡは、横倒しの姿勢としたロールベールＢを転動自在に支承させる支承台ｗを、搬送面が略水平な面に沿い機体１の左右方向に回動するよう機体１に装架したコンベアベルト２と、それの上面に軸線方向が機体１の前後方向に沿う横倒しの姿勢として載架するロールベールＢの周面の、そのコンベアベルト２の搬送方向の側面に当接する転動ローラ３より構成して、そのコンベアベルト２と転動ローラ３の駆動により支承するロールベールＢを転動させるようにし、これにより解き出されてコンベアベルト２で搬出される牧草類を、そのコンベアベルト２の搬送方向の前方で、転動ローラ３の下方に配設したシリンダ型カッターの回転刃機構４とそれに対向する固定の受刃５とにより切断処理して、その回転刃機構４の下方に配設した床面が機体側方に下降傾斜する排出シュート６の下端側に設けた集合樋６２に集め、これをエレベータ装置ｚにより機体１の側方の上方に向け揚送して排出するようにしているのだから、ロールベールＢの支承手段と支承するロールベールＢを転動させる転動手段とが共用されることになって、それらの構成を簡略化し得るようになり、かつ、回転刃機構４が転動ローラ３の下方の空間を利用してコンベアベルト２の搬送方向の前方に配設される事から全体を小型化し得るようになる。
【図面の簡単な説明】
【図１】従前のベールカッターの一部破断した側面図である。
【図２】本発明を実施せるベールカッターの縦断正面図である。
【図３】同上のカッターの回転刃機構の伝導機構部の正面図である。
【図４】同上のカッターの支承台ｗの回転方向切換時の正面図である。
【図５】同上のカッターの回転刃機構およびコンベアベルトならびに転動ローラの伝導機構部の平面図である。
【図６】同上のカッターのコンベアベルトおよび転動ロールの伝導機構部の後面図である。
【図７】同上のカッターの伝導機構部の縦断側面図である。
【図８】同上のカッターの後面図である。
【図９】同上のカッターの別の実施例（エンジン付キャスタ仕様）の縦断正面図である。
【図１０】同上のカッターのさらに別の実施例（モータ付キャスタ仕様）の縦断正面図である。
【図１１】同上のカッターのさらに異なる実施例（エンジン付定置式）の縦断正面図である。
【符号の説明】
Ａ…ベールカッター、Ｂ…ロールベール、Ｃ…給餌箱、Ｄ１・Ｄ２・Ｄ３…伝導機構、Ｅ…エンジン、Ｆ…運搬車、Ｍ…モータ、Ｓ…入力軸、ａ…ホッパー、ｂ…機体、ｃ…スパイク、ｄ…送り装置、ｅ…回転軸、ｆ…回転刃、ｇ…回動刃機構、ｈ…受刃、ｉ…コンベア装置、ｊ…プレスアーム、ｋ…ロール規制板、ｗ…ベール支承台、ｙ…回転方向切替装置、ｚ…エレベーター装置、１…機体、２…コンベアベルト、２ａ…補助枠、２０…駆動ローラ、２０ａ…回転軸、２１…従動ローラ、２２…平ベルト、３…転動ローラ、３０…回転軸、４…回転刃機構、４０…回転刃、４１…回転軸、５…受刃、５ａ…刃縁、５０…受刃取付台、５１…セットボルト、６…排出シュート、６０…床板、６２…集合樋、６３…駆動軸、６４…従動軸、６５…駆動スプロケットギヤ、６６…従動スプロケットギヤ、６７…チェン、６８…搬送ベルト、６９…掻き揚げ板、７…支持機枠、７０…ステー、８０…走行輪、８１…スタント、８２…キャスター、８３…組付ベッド、８４…脚柱、９０…チエン、９１…中間軸、９２…チエン、９３…チエン、９４…中間軸、９５…チエン、９６…操作レバー、９７…チエン、Ｇ１・Ｇ２・Ｇ３・Ｇ４・Ｇ５・Ｇ６・Ｇ７・Ｇ８・Ｇ９…スプロケットギヤ、Ｇ１０…アイドラギヤ、Ｇ１１…クラッチギヤ、Ｇ１２・Ｇ１３・Ｇ１４…スプロケットギヤ。
【図１】
0004434389.tif 000002
【図２】
0004434389.tif 000003
【図３】
0004434389.tif 000004
【図４】
0004434389.tif 000005
【図５】
0004434389.tif 000006
【図６】
0004434389.tif 000007
【図７】
0004434389.tif 000008
【図８】
0004434389.tif 000009
【図９】
0004434389.tif 000010
【図１０】
0004434389.tif 000011
【図１１】
0004434389.tif 000012